(57)【要約】      （修正有）【課題】巻取側ボビンの部品点数を削除でき、巻取側ボビンから使用済インクリボンを容易かつ簡単に分離することができ、プリンタにボビンを容易に装着することができるボビンとプリンタの組合体を提供する。【解決手段】ボビンとプリンタの組合体は、一対の端部２２ａ、２２ｂを有しインクリボン３をロール状に巻取る円筒状の巻取側ボビン２０と、一対の端部２２ａ、２２ｂを支持する支持部４１ａ、４１ｂを有する熱転写プリンタとを備えている。巻取側ボビン２０に、その長手方向全長に渡って延びるスリット２１が設けられ、一対の支持部４１ａ、４１ｂにスリット２１内に挿入される突片４２ａ、４２ｂが設けられている。【選択図】図１
2016068482.tif 000002
【特許請求の範囲】
【請求項１】
一対の端部を有し熱転写シートをロール状に巻取る細長状の円筒状ボビンと、
前記ボビンの一対の端部を支持する一対の支持部を有するプリンタとを備え、前記プリンタの各支持部は前記ボビンの対応する端部内に嵌合され、前記ボビンに長手方向全長に渡ってスリットが設けられ、前記プリンタの各支持部に、前記スリッタのうち各端部に対応する部分に挿入される突片が設けられていることを特徴とするボビンとプリンタの組合体。
【請求項２】
前記スリットは、熱転写シートを切断するカッタを挿入する機能をもつことを特徴とする請求項１記載のボビンとプリンタの組合体。
【請求項３】
各支持体の突片はカッタとして機能することを特徴とする請求項１または２記載のボビンとプリンタの組合体。
【請求項４】
前記スリットはボビンの長手方向全長に渡ってボビンと平行に直線状に延びることを特徴とする請求項１乃至３のいずれか記載のボビンとプリンタの組合体。
【請求項５】
前記スリットは複数の直線部分または曲線部分からなり、
ボビンの長手方向全長に渡って延びることを特徴とするボビンとプリンタの組合体。
【発明の詳細な説明】
【技術分野】
【０００１】
本発明は、熱転写シートを巻取るボビンと、プリンタとを備えたボビンとプリンタの組合体に関する。
【背景技術】
【０００２】
インクリボン（熱転写シート）を用いて、受像シートなどの被転写体に文字や画像等を印字する熱転写プリンタが、広く普及している。インクリボンは、帯状に延びるリボン（支持層）と、リボン上に形成され、染料等を含んだインク層と、を有している。このようなインクリボンは、熱転写プリンタに装着された供給側ボビンに取付けられて巻付けられ、この供給側ボビンから供給され、使用済のインクリボンは同じく熱転写プリンタに装着された巻取側ボビンに巻取られる。
【０００３】
ところで使用済のインクリボンが巻取られた巻取側ボビンは、その後熱転写プリンタから取外される。そして巻取側ボビンと使用済インクリボンが分離され、その後分離された使用済インクリボンが廃棄され、他方巻取側ボビンは回収されて再利用されることが望ましい。
【０００４】
しかしながら、従来より巻取側ボビンから使用済インクリボンを容易かつ簡単に分離する技術は開発されていない。また巻取側ボビンおよび供給側ボビンを熱転写プリンタに容易に装着することが求められている。
【先行技術文献】
【特許文献】
【０００５】
【特許文献１】特開２００４−８２４８５号公報
【特許文献２】特開平９−１２３５５５号公報
【発明の概要】
【発明が解決しようとする課題】
【０００６】
本発明は、このような点を考慮してなされたものであり、ボビンから使用済インクリボンを容易かつ簡単に分離することができ、プリンタにボビンを容易に装着することができるボビンとプリンタの組合体を提供することを目的とする。
【課題を解決するための手段】
【０００７】
本発明は、一対の端部を有し熱転写シートをロール状に巻取る細長状の円筒状ボビンと、前記ボビンの一対の端部を支持する一対の支持部を有するプリンタとを備え、前記プリンタの各支持部は前記ボビンの対応する端部内に嵌合され、前記ボビンに長手方向全長に渡ってスリットが設けられ、前記プリンタの各支持部に、前記スリッタのうち各端部に対応する部分に挿入される突片が設けられていることを特徴とするボビンとプリンタの組合体である。
【０００８】
本発明は、前記スリットは、熱転写シートを切断するカッタを挿入する機能をもつことを特徴とするボビンとプリンタの組合体である。
【０００９】
本発明は、各支持体の突片はカッタとして機能することを特徴とするボビンとプリンタの組合体である。
【００１０】
本発明は、前記スリットはボビンの長手方向全長に渡ってボビンと平行に直線状に延びることを特徴とするボビンとプリンタの組合体である。
【００１１】
本発明は、前記スリットは複数の直線部分または曲線部分からなり、ボビンの長手方向全長に渡って延びることを特徴とするボビンとプリンタの組合体である。
【発明の効果】
【００１２】
本発明によれば、プリンタにボビンを容易に装着することができ、かつボビンから使用済の熱転写シートを容易に分離することができ、さらに構成部品の点数を削減することができる。
【図面の簡単な説明】
【００１３】
【図１】図１は本発明によるボビンとプリンタの組合体を示す概略斜視図。
【図２】図２は本発明によるボビンとプリンタの組合体を示す平面図。
【図３】図３はボビンの変形例を示す図。
【図４】図４はボビンの他の変形例を示す図。
【発明を実施するための形態】
【００１４】
＜発明の実施の形態＞
以下、図面を参照して本発明の実施の形態について説明する。
【００１５】
図１および図２は、本発明の実施の形態を示す図である。
【００１６】
まず図２により熱転写プリンタ５０に装着されたリボンカートリッジ１について説明する。
【００１７】
リボンカートリッジ１は、供給側ボビン１０と、巻取側ボビン２０と、これら供給側ボビン１０および巻取側ボビン２０を収納する収納ケース２とを備え、供給側ボビン１０と巻取側ボビン２０との間に支持層とインク層とを有するインクリボン（熱転写シート）３が設けられている。このインクリボン３は供給側ボビン１０と巻取側ボビン２０に各々取付けられている。
【００１８】
このような構成からなるリボンカートリッジ１のうち、巻取側ボビン２０は一対の端部２２ａ、２２ｂを有し、使用済のインクリボン３をロール状に巻取るものであり、細長状に延びる円筒体からなる。図１に示すように、巻取側ボビン２０は熱転写プリンタ５０内に装着され、この場合、巻取側ボビン２０の一方の端部２２ａは熱転写プリンタ５０の支持部４１ａに支持され、他方の端部２２ｂは熱転写プリンタ５０の支持部４１ｂに支持されている。
【００１９】
この場合、熱転写プリンタ５０の各支持部４１ａ、４１ｂは、巻取側ボビン２０の対応する端部２２ａ、２２ｂ内に嵌合される。また巻取側ボビン２０に、長手方向全長に渡ってスリット２１が設けられている。
【００２０】
この巻取側ボビン２０に設けられたスリット２１は、巻取用ボビン２０の長手方向全長に渡って、巻取用ボビン２０と平行に直線状に延びている。
【００２１】
また熱転写プリンタ５０の各支持部４１ａ、４１ｂに、巻取側ボビン２０のスリッタ２１のうち各端部２２ａ、２２ｂに対応する部分に挿入される突片４２ａ、４２ｂが設けられている。
【００２２】
上述のように巻取側ボビン２０の端部２２ａ、２２ｂ内に熱転写プリンタ５０の支持部４１ａ、４１ｂを嵌合し、支持部４１ａ、４１ｂに設けられた突片４２ａ、４２ｂを巻取側ボビン２０のスリット２１内に挿入することにより、巻取側ボビン２０を熱転写プリンタ５０内に確実に装着することができる。この場合、支持部４１ａ、４１ｂの突片４２ａ、４２ｂを巻取側ボビン２０のスリット２１内に挿入することにより、巻取側ボビン２０を支持部４１ａ、４１ｂに対して回転方向に確実に規制することができる。
【００２３】
なお、熱転写プリンタ５０の支持部４１ａ、４１ｂのうち、一方の支持部４１ａは駆動機構４０ａを構成しており、この一方の支持部４１ａから巻取側ボビン２０に駆動力を伝えることができる。また他方の支持部４１ｂは軸受機構４０ｂを構成し、巻取側ボビン２０に駆動力を与えることなく巻取側ボビン２０を回転可能に保持している。
【００２４】
さらにまた、各支持部４１ａ、４１ｂは、いずれも熱転写プリンタ５０の本体に対して軸方向に移動可能となっている。
【００２５】
また、支持部４１ａ、４１ｂの突片４２ａ、４２ｂは、使用済のインクリボン３を切断するカッタとして機能する。
【００２６】
そして一対の端部２２ａ、２２ｂを有する巻取側ボビン２０と、一対の支持部４１ａ、４１ｂを有する熱転写プリンタ５０とによって、本発明によるボビンとプリンタの組合体が構成されている。
【００２７】
次にリボンカートリッジ１の供給側ボビン１０について説明する。供給側ボビン１０は、一対の端部１２ａ、１２ｂを有し、インクリボン３を供給するものであり、細長状に延びる円筒体からなる。図２に示すように、供給側ボビン１０は熱転写プリンタ５０内に装着され、この場合、供給側ボビン１０の一対の端部１２ａは熱転写プリンタ５０の支持部３１ａに支持され、他方の端部１２ｂは熱転写プリンタ５０の支持部３１ｂに支持されている。
【００２８】
この場合、熱転写プリンタ５０の各支持部３１ａ、３１ｂは、供給側ボビン１０の対応する端部１２ａ、１２ｂ内に嵌合される。
【００２９】
上述のように供給側ボビン１０の端部１２ａ、１２ｂ内に熱転写プリンタ５０の支持部３１ａ、３１ｂを嵌合することにより、供給側ボビン１０を熱転写プリンタ５０内に確実に装着することができる。この場合、支持部３１ａ、３１ｂに係合部（図示せず）が設けられ、供給側ボビン１０の端部１２ａ、１２ｂにこの係合部に係合する係止部（図示せず）が設けられ、供給側ボビン１０を支持部３１ａ、３１ｂに対して回転方向に確実に規制することができる。
【００３０】
なお、熱転写プリンタ５０の支持部３１ａ、３１ｂのうち、一方の支持部３１ａは駆動機構３０ａを構成しており、この一方の支持部３１ａから供給側ボビン１０に駆動力を伝えることができる。また他方の支持部３１ｂは軸受機構３０ｂを構成し、供給側ボビン１０に駆動力を与えることなく供給側ボビン１０を回転可能に保持している。
【００３１】
さらにまた、各支持部３１ａ、３１ｂは、いずれも熱転写プリンタ５０の本体に対して軸方向に移動可能となっている。
【００３２】
次にこのような構成からなる本実施の形態の作用について説明する。
【００３３】
まずインクリボン３が巻付けられた供給側ボビン１０と、巻取側ボビン２０とを準備する。この場合、インクリボン３はタッチローラを用いて、供給側ボビン１０に押付けられて巻付けられる。
【００３４】
次に供給側ボビン１０と巻取側ボビン２０とを収納ケース２内に装着し、このようにして収納ケース２と、インクリボン３が巻付けられた供給側ボビン１０および巻取側ボビン２０とを有するリボンカートリッジ１が得られる。
【００３５】
次にリボンカートリッジ１は熱転写プリンタ５０の装着部５０Ａに装着される。この場合、リボンカートリッジ１の巻取側ボビン２０は、熱転写プリンタ５０の支持部４１ａ、４１ｂと同一軸線上に並び、供給側ボビン１０は熱転写プリンタ５０の支持部３１ａ、３１ｂと同一軸線上に並ぶ。
【００３６】
このとき、熱転写プリンタ５０の一対の支持部４１ａ、４１ｂは図示しないスプリングの力に抗して巻取側ボビン２０に対して両側に引込み、一対の支持部３１ａ、３１ｂも図示しないスプリングの力に抗して供給側ボビン１０に対して両側へ引込んでいる。
【００３７】
次に一対の支持部４１ａ、４１ｂがスプリングの力により巻取側ボビン２０側へ押付けられて、一対の支持部４１ａ、４１ｂが巻取側ボビン２０の両端部２２ａ、２２ｂ内に嵌合される。このとき各支持部４１ａ、４１ｂに設けられた突片４２ａ、４２ｂが巻取側ボビン２０に設けられたスリット２１内に挿入され、巻取側ボビン２０は一対の支持部４１ａ、４１ｂに対して回転方向に規制される。
【００３８】
同様に一対の支持部３１ａ、３１ｂがスプリングの力により供給側ボビン１０側へ押付けられて、一対の支持部３１ａ、３１ｂが供給側ボビン１０の両端部１２ａ、１２ｂ内に嵌合され、供給側ボビン１０は一対の支持部３１ａ、３１ｂに対して回転方向に規制される。
【００３９】
次に供給側ボビン１０が駆動機構３０ａにより駆動され、巻取用ボビン２０が駆動機構４０ａにより駆動され、供給側ボビン１０に巻付けられていたインクリボン３が供給される。次に供給側リボン１０と巻取側リボン２０との間に延びるインクリボン３がサーマルヘッド（図示せず）により加熱され、インクリボン３のインクが受像シート（図示せず）に転写され、このようにして熱転写作業が行なわれる。
【００４０】
熱転写作業が終了した後、熱転写プリンタ５０からリボンカートリッジ１が取外され、さらにリボンカートリッジ１から供給側ボビン１０、巻取側ボビン２０およびインクリボン３が取外される。
【００４１】
この場合、供給側ボビン１０側のインクリボン３はほとんどなくなっているため、インクリボン３を供給側ボビン１０から容易に分離することができる。
【００４２】
一方、巻取側ボビン２０側には、使用済インクリボン３が巻取られている。この場合、巻取側ボビン２０の長手方向全長に渡って直線状に延びるスリット２１が形成されているため、このスリット２１にカッタ（図示せず）を挿入することができる。そして、このカッタをスリット２１に沿って移動することにより、使用済インクリボン３を切断してインクリボン３を巻取側ボビン２０から容易に分離することができる。
【００４３】
巻取側ボビン２０から分離された使用済インクリボン３は、その後廃棄され、供給側ボビン１０と巻取側ボビン２０は回収されて再利用される。
【００４４】
以上のように、本実施の形態によれば、熱転写作業が終了した後、巻取側ボビン２０に設けられたスリット２１内にカッタを挿入し、巻取側ボビン２０に巻取られた使用済インクリボン３を切断することにより、インクリボン３を巻取側ボビン２０から容易に分離することができる。また供給側ボビン１０は円筒体からなり、さらに巻取側ボビン２０はスリット２１を有する円筒体からなり、供給側ボビン１０および巻取側ボビン２０の構成部品の点数を少なくすることができ、供給側ボビン１０および巻取側ボビン２０の構造を簡単化することができる。
【００４５】
＜変形例＞
次に本発明の変形例について述べる。図１および図２に示す実施の形態において、巻取側ボビン２０にスリット２１を設けるとともに、このスリット２１が巻取側ボビン２０の長手方向全長に渡って、巻取側ボビン２０と平行に直線状に延びる例を示したが、これに限らずスリット２１を２本の直線部２１ａ、２１ａを含むＶ字状に構成してもよい（図３参照）。
【００４６】
あるいはまた、スリット２１をＶ字状に延びる２本の直線部２１ａ、２１ａと、この２本の直線部２１ａ、２１ａ間に形成された曲線部２１ｂとから構成してもよい（図４参照）。
【００４７】
あるいはまた図１において、熱転写プリンタ５０の一対の支持部４１ａ、４１ｂに巻取側ボビン２０のスリット２１内に挿入される突片４２ａ、４２ｂを設けた例を示したが、この突片４２ａ、４２ｂを使用済インクリボン３を切断するカッタとして用いてもよい。この場合、熱転写作業が終了した後、熱転写プリンタ５０内にリボンカートリッジ１を装着したまま、一対の支持部４１ａ、４１ｂを切断モードに切換えて内側へ大きく移動させ、一対の支持部４１ａ、４１ｂを切断位置までもってくる。このことにより一対の支持部４１ａ、４１ｂに設けられた突片４２ａ、４２ｂにより使用済インクリボン３を切断することができる。
【符号の説明】
【００４８】
１  リボンカートリッジ
２  収納ケース
３  インクリボン
１０  供給側ボビン
１２ａ、１２ｂ  端部
２０  巻取側ボビン
２２ａ、２２ｂ  端部
３０ａ  駆動機構
３０ｂ  軸受機構
３１ａ  支持部
３１ｂ  支持部
４０ａ  駆動機構
４０ｂ  軸受機構
４１ａ  支持部
４１ｂ  支持部
４２ａ  突片
４２ｂ  突片
５０  熱転写プリンタ
５０Ａ  装着部
【図１】
2016068482.tif 000003
【図２】
2016068482.tif 000004
【図３】
2016068482.tif 000005
【図４】
2016068482.tif 000006